(57)【特許請求の範囲】
【請求項１】
かご出入口を開閉するかごドア、
前記かごドアに設けられており、かつ、戸当たり側位置と、前記戸当たり側位置よりも戸袋側の戸袋側位置との間で前記かごドアに対して水平方向へ変位可能になっているかご側連結部材、
前記かごドアに設けられている固定施錠子、
前記かごドアの外部に設けられており、前記固定施錠子に引っ掛かり前記かごドアの開方向への移動を阻止する施錠位置と、前記かごドアの開方向への移動を許容する非施錠位置との間で変位可能な可動施錠子、
前記可動施錠子に設けられている第１の接触子、
前記かごドアに設けられており、前記かご側連結部材に連動して解錠位置と非解錠位置との間で変位可能な第１のカム、
前記かごドアに設けられており、前記かご側連結部材に連動して変位する第２の接触子、及び
前記かごドアの外部に設けられている第２のカム
を備え、
前記かごドアが全閉位置にあるとき、前記第２の接触子が前記第２のカムに接触することにより、前記かご側連結部材が前記戸当たり側位置に保持され、前記第１のカムが前記解錠位置に保持され、前記可動施錠子が前記施錠位置に保持され、
かごがドアゾーン内にあるときに、前記かごドアが開方向へ移動すると、乗場ドアに設けられたインターロック装置のインターロックローラに前記かご側連結部材が当たって、前記かご側連結部材の前記戸袋側位置への変位が阻止されるとともに、前記第１のカムの前記非解錠位置への変位が阻止され、前記第１の接触子に前記第１のカムが接触することにより、前記可動施錠子が前記解錠位置に変位され、
前記かごが前記ドアゾーン外にあるときに、前記かごドアが開方向へ移動すると、前記第２の接触子が前記第２のカムに沿って動き、前記かご側連結部材が前記戸袋側位置に変位されるとともに、前記第１のカムが非解錠位置に変位され、前記可動施錠子が前記施錠位置に保持されて、前記かごドアの開方向へのさらなる移動が阻止されるエレベータのかごドア装置。
【請求項２】
前記固定施錠子及び前記第１のカムは、共通の取付部材を介して、前記かごドアに取り付けられている請求項１記載のエレベータのかごドア装置。
【請求項３】
かご出入口を開閉する第１のかごドア、
前記第１のかごドアに連動して前記第１のかごドアとは反対方向へ移動することにより、前記かご出入口を開閉する第２のかごドア、
前記第１のかごドアに設けられており、かつ、戸当たり側位置と、前記戸当たり側位置よりも戸袋側の戸袋側位置との間で前記第１のかごドアに対して水平方向へ変位可能になっているかご側連結部材、
前記第２のかごドアに設けられている固定施錠子、
前記第１及び第２のかごドアの外部に設けられており、前記固定施錠子に引っ掛かり前記第１のかごドアの開方向への移動を阻止する施錠位置と、前記第１のかごドアの開方向への移動を許容する非施錠位置との間で変位可能な可動施錠子、
前記可動施錠子に設けられている第１の接触子、
前記第１のかごドアに設けられており、前記かご側連結部材に連動して解錠位置と非解錠位置との間で変位可能な第１のカム、
前記第１のかごドアに設けられており、前記かご側連結部材に連動して変位する第２の接触子、及び
前記第１のかごドアの外部に設けられている第２のカム
を備え、
前記第１のかごドアが全閉位置にあるとき、前記第２の接触子が前記第２のカムに接触することにより、前記かご側連結部材が前記戸当たり側位置に保持され、前記第１のカムが前記解錠位置に保持され、前記可動施錠子が前記施錠位置に保持され、
かごがドアゾーン内にあるときに、前記第１のかごドアが開方向へ移動すると、乗場ドアに設けられたインターロック装置のインターロックローラに前記かご側連結部材が当たって、前記かご側連結部材の前記戸袋側位置への変位が阻止されるとともに、前記第１のカムの前記非解錠位置への変位が阻止され、前記第１の接触子に前記第１のカムが接触することにより、前記可動施錠子が前記解錠位置に変位され、
前記かごが前記ドアゾーン外にあるときに、前記第１のかごドアが開方向へ移動すると、前記第２の接触子が前記第２のカムに沿って動き、前記かご側連結部材が前記戸袋側位置に変位されるとともに、前記第１のカムが非解錠位置に変位され、前記可動施錠子が前記施錠位置に保持されて、前記第１のかごドアの開方向へのさらなる移動が阻止されるエレベータのかごドア装置。
【請求項４】
前記第１のカムは、前記解錠位置と前記非解錠位置との間を回転して変位可能であり、
前記第２の接触子は、前記第１のカムの回転中心に対して、戸当たり側かつ下側に配置されている請求項１から請求項３までのいずれか１項に記載のエレベータのかごドア装置。
【請求項５】
前記かご側連結部材は、前記戸袋側位置に変位する方向への力を常時受けており、
前記第１のカムは、前記非解錠位置に変位する方向への力を常時受けている請求項１から請求項４までのいずれか１項に記載のエレベータのかごドア装置。
【請求項６】
前記可動施錠子は、前記施錠位置に変位する方向への力を常時受けている請求項１から請求項５までのいずれか１項に記載のエレベータのかごドア装置。
【請求項７】
前記可動施錠子が前記施錠位置にあることを検出する施錠検出スイッチ
をさらに備えている請求項１から請求項６までのいずれか１項に記載のエレベータのかごドア装置。
【発明の詳細な説明】
【技術分野】
【０００１】
この発明は、エレベータのかご出入口を開閉するかごドア装置に関するものである。
【背景技術】
【０００２】
従来のエレベータのかごドア装置では、かごドアに、ブレードと施錠部材とが設けられている。ブレードは、解錠対応位置と施錠対応位置との間で、かごドアに対して水平方向へ変位可能である。施錠部材は、ブレードの動きに連動して解錠位置と施錠位置との間で変位可能である。【０００３】
かごドアの外部には、固定施錠子及び案内カムが設けられている。固定施錠子に施錠部材が引っ掛かることにより、かごドアの開方向への移動が阻止される。施錠部材には、案内部が設けられている。【０００４】
かごドアが全閉位置にあるとき、案内部が案内カムに接触することにより、施錠部材が解錠位置に保持されるとともに、ブレードが解錠対応位置に保持される（例えば、特許文献１参照）。
【先行技術文献】
【特許文献】
【０００５】
【特許文献１】特許第６２５０１９０号公報
【発明の概要】
【発明が解決しようとする課題】
【０００６】
上記のような従来のかごドア装置では、かごドアが全閉位置にあるとき、施錠部材が解錠位置に保持されている。しかし、信頼性の面から、かごドアが全閉位置にあるときには、施錠部材も施錠位置に位置していることが望ましい。【０００７】
この発明は、上記のような課題を解決するためになされたものであり、階床間でのかごドアの開放を防止しつつ、かごドアが全閉位置にあるときに、可動施錠子を施錠位置に保持することができるエレベータのかごドア装置を得ることを目的とする。
【課題を解決するための手段】
【０００８】
この発明に係るエレベータのかごドア装置は、かご出入口を開閉するかごドア、かごドアに設けられており、かつ、戸当たり側位置と、戸当たり側位置よりも戸袋側の戸袋側位置との間でかごドアに対して水平方向へ変位可能になっているかご側連結部材、かごドアに設けられている固定施錠子、かごドアの外部に設けられており、固定施錠子に引っ掛かりかごドアの開方向への移動を阻止する施錠位置と、かごドアの開方向への移動を許容する非施錠位置との間で変位可能な可動施錠子、可動施錠子に設けられている第１の接触子、かごドアに設けられており、かご側連結部材に連動して解錠位置と非解錠位置との間で変位可能な第１のカム、かごドアに設けられており、かご側連結部材に連動して変位する第２の接触子、及びかごドアの外部に設けられている第２のカムを備え、かごドアが全閉位置にあるとき、第２の接触子が第２のカムに接触することにより、かご側連結部材が戸当たり側位置に保持され、第１のカムが解錠位置に保持され、可動施錠子が施錠位置に保持され、かごがドアゾーン内にあるときに、かごドアが開方向へ移動すると、乗場ドアに設けられたインターロック装置のインターロックローラにかご側連結部材が当たって、かご側連結部材の戸袋側位置への変位が阻止されるとともに、第１のカムの非解錠位置への変位が阻止され、第１の接触子に第１のカムが接触することにより、可動施錠子が解錠位置に変位され、かごがドアゾーン外にあるときに、かごドアが開方向へ移動すると、第２の接触子が第２のカムに沿って動き、かご側連結部材が戸袋側位置に変位されるとともに、第１のカムが非解錠位置に変位され、可動施錠子が施錠位置に保持されて、かごドアの開方向へのさらなる移動が阻止される。
また、この発明に係るエレベータのかごドア装置は、かご出入口を開閉する第１のかごドア、第１のかごドアに連動して第１のかごドアとは反対方向へ移動することにより、かご出入口を開閉する第２のかごドア、第１のかごドアに設けられており、かつ、戸当たり側位置と、戸当たり側位置よりも戸袋側の戸袋側位置との間で第１のかごドアに対して水平方向へ変位可能になっているかご側連結部材、第２のかごドアに設けられている固定施錠子、第１及び第２のかごドアの外部に設けられており、固定施錠子に引っ掛かり第１のかごドアの開方向への移動を阻止する施錠位置と、第１のかごドアの開方向への移動を許容する非施錠位置との間で変位可能な可動施錠子、可動施錠子に設けられている第１の接触子、第１のかごドアに設けられており、かご側連結部材に連動して解錠位置と非解錠位置との間で変位可能な第１のカム、第１のかごドアに設けられており、かご側連結部材に連動して変位する第２の接触子、及び第１のかごドアの外部に設けられている第２のカムを備え、第１のかごドアが全閉位置にあるとき、第２の接触子が第２のカムに接触することにより、かご側連結部材が戸当たり側位置に保持され、第１のカムが解錠位置に保持され、可動施錠子が施錠位置に保持され、かごがドアゾーン内にあるときに、第１のかごドアが開方向へ移動すると、乗場ドアに設けられたインターロック装置のインターロックローラにかご側連結部材が当たって、かご側連結部材の戸袋側位置への変位が阻止されるとともに、第１のカムの非解錠位置への変位が阻止され、第１の接触子に第１のカムが接触することにより、可動施錠子が解錠位置に変位され、かごがドアゾーン外にあるときに、第１のかごドアが開方向へ移動すると、第２の接触子が第２のカムに沿って動き、かご側連結部材が戸袋側位置に変位されるとともに、第１のカムが非解錠位置に変位され、可動施錠子が施錠位置に保持されて、第１のかごドアの開方向へのさらなる移動が阻止される。
【発明の効果】
【０００９】
この発明のエレベータのかごドア装置によれば、階床間でのかごドアの開放を防止しつつ、かごドアが全閉位置にあるときに、可動施錠子を施錠位置に保持することができる。
【図面の簡単な説明】
【００１０】
【図１】この発明の実施の形態１によるエレベータを示す概略の構成図である。
【図２】図１の第１及び第２の乗場ドアを昇降路側から見た正面図である。
【図３】図１の第１及び第２のかごドアを乗場側から見た正面図である。
【図４】図３の要部を拡大して示す正面図である。
【図５】図４のＶ−Ｖ線に沿う断面図である。
【図６】図４のＶＩ−ＶＩ線に沿う断面図である。
【図７】図４の第１及び第２のかごドアが開方向へ少し移動した状態を示す正面図である。
【図８】図７の第１及び第２のかごドアが開方向へさらに移動した状態を示す正面図である。
【図９】図４の第１及び第２のかごドアをドアゾーン外で開けようとした状態を示す正面図である。
【図１０】この発明の実施の形態２によるエレベータのかごドア装置を乗場側から見た正面図である。
【発明を実施するための形態】
【００１１】
以下、この発明を実施するための形態について、図面を参照して説明する。
実施の形態１．
図１は、この発明の実施の形態１によるエレベータを示す概略の構成図である。図において、昇降路１の上部には、機械室２が設けられている。機械室２には、巻上機３、そらせ車４、及びエレベータ制御装置５が設置されている。
【００１２】
巻上機３は、駆動シーブ６、図示しない巻上機モータ、及び図示しない巻上機ブレーキを有している。巻上機モータは、駆動シーブ６を回転させる。巻上機ブレーキは、駆動シーブ６の静止状態を保持、又は駆動シーブ６の回転を制動する。
【００１３】
駆動シーブ６及びそらせ車４には、懸架体７が巻き掛けられている。懸架体７としては、複数本のロープ又は複数本のベルトが用いられている。懸架体７の第１の端部には、かご８が接続されている。懸架体７の第２の端部には、釣合おもり９が接続されている。
【００１４】
かご８及び釣合おもり９は、懸架体７により吊り下げられており、駆動シーブ６を回転させることにより昇降路１内を昇降する。エレベータ制御装置５は、巻上機３を制御することにより、かご８の運行を制御する。
【００１５】
昇降路１内には、図示しない一対のかごガイドレールと、図示しない一対の釣合おもりガイドレールとが設置されている。一対のかごガイドレールは、かご８の昇降を案内する。一対の釣合おもりガイドレールは、釣合おもり９の昇降を案内する。
【００１６】
かご８は、かご枠１０及びかご室１１を有している。かご枠１０には、懸架体７が接続されている。かご室１１は、かご枠１０に支持されている。かご室１１の前面には、第１のかごドア１２ａ及び第２のかごドア１２ｂが設けられている。第１及び第２のかごドア１２ａ，１２ｂは、互いに反対方向へ水平にスライドすることによりかご出入口を開閉する。
【００１７】
かご８上には、ドアコントローラ１３が設けられている。ドアコントローラ１３は、第１及び第２のかごドア１２ａ，１２ｂの開閉動作を制御する。
【００１８】
複数階の乗場には、第１の乗場ドア１４ａ及び第２の乗場ドア１４ｂがそれぞれ設けられている。第１及び第２の乗場ドア１４ａ，１４ｂは、互いに反対方向へ水平にスライドすることにより乗場出入口を開閉する。また、第１及び第２の乗場ドア１４ａ，１４ｂは、かご８の着床時に第１及び第２のかごドア１２ａ，１２ｂに連動して開閉動作する。
【００１９】
図２は、図１の第１及び第２の乗場ドア１４ａ，１４ｂを昇降路１側から見た正面図である。乗場出入口の上部には、乗場ドアフレーム１５が固定されている。乗場ドアフレーム１５には、乗場ドアレール１６が設けられている。乗場ドアレール１６は、乗場出入口の幅方向に平行、かつ水平に配置されている。乗場出入口の幅方向は、図２の左右方向である。
【００２０】
乗場ドアフレーム１５の長手方向の第１の端部には、第１の乗場ドアプーリ１７が設けられている。乗場ドアフレーム１５の長手方向の第２の端部には、第２の乗場ドアプーリ１８が設けられている。第１及び第２の乗場ドアプーリ１７，１８には、無端状の連動ロープ１９が巻かれている。
【００２１】
第１及び第２の乗場ドア１４ａ，１４ｂは、乗場ドアパネル２０及び乗場ドアハンガ２１をそれぞれ有している。各乗場ドアハンガ２１は、対応する乗場ドアパネル２０の上部に固定されている。
【００２２】
各乗場ドアハンガ２１には、複数の乗場ドアローラ２２が設けられている。各乗場ドアローラ２２は、第１及び第２の乗場ドア１４ａ，１４ｂの開閉動作時に、乗場ドアレール１６上を転がりながら移動する。第１及び第２の乗場ドア１４ａ，１４ｂは、乗場ドアレール１６から吊り下げられており、乗場ドアレール１６に沿って開閉動作する。
【００２３】
第１の乗場ドア１４ａは、第１の乗場ドア連結金具２３を介して、連動ロープ１９の下側部分に接続されている。第２の乗場ドア１４ｂは、第２の乗場ドア連結金具２４を介して、連動ロープ１９の上側部分に接続されている。
【００２４】
第１の乗場ドア１４ａの開閉動作により連動ロープ１９が循環すると、第２の乗場ドア１４ｂは、第１の乗場ドア１４ａとは反対方向へ移動する。乗場ドア連動機構２５は、第１の乗場ドアプーリ１７、第２の乗場ドアプーリ１８、連動ロープ１９、第１の乗場ドア連結金具２３、及び第２の乗場ドア連結金具２４を有している。また、乗場ドア連動機構２５は、第１の乗場ドア１４ａの開閉動作に第２の乗場ドア１４ｂを連動させる。
【００２５】
第１の乗場ドア１４ａと乗場ドアフレーム１５との間には、インターロック装置２６が設けられている。インターロック装置２６は、かご８が着床していないときに乗場側から乗場ドア１４が開放されるのを防止する。また、インターロック装置２６は、掛け金２７、インターロックラッチ２８、固定側インターロックローラ２９、及び可動側インターロックローラ３０を有している。
【００２６】
掛け金２７は、乗場ドアフレーム１５に固定されている。インターロックラッチ２８は、第１の乗場ドア１４ａの乗場ドアハンガ２１に回転可能に取り付けられている。第１及び第２の乗場ドア１４ａ，１４ｂが全閉位置にあるとき、インターロックラッチ２８の先端部が掛け金２７に引っ掛かることにより、第１及び第２の乗場ドア１４ａ，１４ｂの開方向への移動が阻止される。
【００２７】
固定側インターロックローラ２９は、インターロックラッチ２８の回転軸と同軸に配置されている。可動側インターロックローラ３０は、インターロックラッチ２８に取り付けられている。インターロックラッチ２８及び可動側インターロックローラ３０は、インターロックラッチ２８の回転軸を中心として一体に回転する。
【００２８】
図３は、図１の第１及び第２のかごドア１２ａ，１２ｂを乗場側から見た正面図である。かご出入口の上部には、かごドアフレーム３１が固定されている。かごドアフレーム３１には、かごドアレール３２が設けられている。かごドアレール３２は、かご出入口の幅方向に平行、かつ水平に配置されている。かご出入口の幅方向は、図３の左右方向である。
【００２９】
かごドアフレーム３１の長手方向の第１の端部には、第１のかごドアプーリ３３が設けられている。かごドアフレーム３１の長手方向の第２の端部には、第２のかごドアプーリ３４が設けられている。第１及び第２のかごドアプーリ３３，３４には、無端状のかごドア駆動ロープ３５が巻かれている。
【００３０】
第１及び第２のかごドア１２ａ，１２ｂは、かごドアパネル３６及びかごドアハンガ３７をそれぞれ有している。各かごドアハンガ３７は、対応するかごドアパネル３６の上部に固定されている。第１及び第２のかごドア１２ａ，１２ｂは、かごドアレール３２から吊り下げられており、かごドアレール３２に沿って開閉動作する。
【００３１】
第１のかごドア１２ａは、第１のかごドア連結金具３８を介して、かごドア駆動ロープ３５の下側部分に接続されている。第２のかごドア１２ｂは、第２のかごドア連結金具３９を介して、かごドア駆動ロープ３５の上側部分に接続されている。
【００３２】
かごドアフレーム３１上には、ドアモータ４０が固定されている。ドアモータ４０の回転は、第１のかごドアプーリ３３に伝達される。第１のかごドアプーリ３３が回転すると、かごドア駆動ロープ３５が循環するとともに、第２のかごドアプーリ３４が回転する。これにより、第１及び第２のかごドア１２ａ，１２ｂが開閉動作する。
【００３３】
図４は、図３の要部を拡大して示す正面図である。第１のかごドア１２ａには、第１の支持板４４が固定されている。第１の支持板４４には、固定施錠子４５が固定されている。即ち、固定施錠子４５は、第１の支持板４４を介して、第１のかごドア１２ａに設けられている。また、固定施錠子４５は、第１の支持板４４の上端部の側面から第２のかごドア１２ｂ側へ突出している。
【００３４】
かごドアフレーム３１には、第２の支持板４６が固定されている。第２の支持板４６には、可動施錠子４７が取り付けられている。即ち、可動施錠子４７は、第１のかごドア１２ａの外部に設けられている。
【００３５】
可動施錠子４７は、回転軸４７ａを中心として回転可能である。また、可動施錠子４７は、図４に示す施錠位置と図７に示す非施錠位置との間で、変位可能である。施錠位置は、可動施錠子４７が固定施錠子４５に引っ掛かり、第１のかごドア１２ａの開方向への移動を阻止する位置である。非施錠位置は、第１のかごドア１２ａの開方向への移動を許容する位置である。
【００３６】
回転軸４７ａは、可動施錠子４７の中間部に設けられている。可動施錠子４７の一端部には、フック状の施錠部４７ｂが設けられている。第１及び第２のかごドア１２ａ，１２ｂが全閉位置にあるとき、施錠部４７ｂは、固定施錠子４５の先端部よりも、第１のかごドア１２ａの戸袋側に位置している。
【００３７】
可動施錠子４７が施錠位置に保持されたまま、第１のかごドア１２ａが開方向へ移動しようとすると、施錠部４７ｂが固定施錠子４５の先端部に引っ掛かる。これにより、第１のかごドア１２ａの開方向への移動が阻止される。
【００３８】
第２の支持板４６と可動施錠子４７との間には、引張ばね４８が設けられている。引張ばね４８は、可動施錠子４７を図４の反時計方向へ回転させる力、即ち施錠位置に保持する力を発生している。可動施錠子４７は、施錠位置に変位する方向への力を常時受けている。即ち、可動施錠子４７は、第１のカム５６ｂからの外力が作用しないとき、自重、錘、又はばねによって、施錠位置に留まるようになっている。
【００３９】
第２の支持板４６には、施錠子ストッパ４９が取り付けられている。施錠子ストッパ４９は、可動施錠子４７が施錠位置を越えて回転することを阻止している。施錠子ストッパ４９の上下方向位置は、調整可能である。可動施錠子４７は、自重と引張ばね４８の力とにより、施錠子ストッパ４９に押し当てられ、施錠位置に保持されている。
【００４０】
第２の支持板４６には、施錠検出スイッチ５０が取り付けられている。施錠検出スイッチ５０は、可動施錠子４７が施錠位置にあることを検出する。
【００４１】
可動施錠子４７の他端部には、作動片５１が固定されている。可動施錠子４７が施錠位置に保持されているとき、作動片５１は施錠検出スイッチ５０に接触する。これにより、施錠検出スイッチ５０がＯＮとなる。
【００４２】
また、可動施錠子４７が施錠位置に保持されていないとき、作動片５１は施錠検出スイッチ５０から離れる。これにより、施錠検出スイッチ５０がＯＦＦとなる。
【００４３】
エレベータ制御装置５において、第１及び第２のかごドア１２ａ，１２ｂが全閉位置にあり、かつ可動施錠子４７が施錠位置に保持されていることが、かご８の昇降を可能とする条件である。
【００４４】
可動施錠子４７には、突出部４７ｃが形成されている。突出部４７ｃは、可動施錠子４７の中間部から斜め下方へ突出している。突出部４７ｃの下端部には、ローラ状の第１の接触子５２が設けられている。第１の接触子５２は、突出部４７ｃに対して回転可能である。
【００４５】
第１の支持板４４には、第１の平行リンク機構５３を介して、断面Ｌ字形のかご側連結部材５４が取り付けられている。かご側連結部材５４は、鉛直に配置されている。
【００４６】
第１の平行リンク機構５３は、棒状の第１の下部リンク５５と、Ｌ字形の第１の上部リンク５６とを有している。
【００４７】
第１の下部リンク５５の上端部は、回転軸５５ａを中心として回転可能に第１の支持板４４に取り付けられている。第１の下部リンク５５の下端部は、かご側連結部材５４の下端部に回転可能に連結されている。
【００４８】
第１の上部リンク５６の中間部は、回転軸５６ａを中心として回転可能に第１の支持板４４に取り付けられている。第１の上部リンク５６の第１の端部は、かご側連結部材５４の中間部に回転可能に連結されている。
【００４９】
かご側連結部材５４は、第１の下部リンク５５及び第１の上部リンク５６の回転により、図４に示す戸当たり側位置と、図９に示す戸袋側位置との間で、第１のかごドア１２ａに対して水平方向へ変位可能である。戸袋側位置は、第１のかごドア１２ａに対して、戸当たり側位置よりも、第１のかごドア１２ａの戸袋側の位置である。
【００５０】
第１の上部リンク５６の中間部から第２の端部までの部分は、回転軸５６ａに対してかご側連結部材５４とは反対側へ突出している。
【００５１】
第１の上部リンク５６の第２の端部には、第１のカム５６ｂが設けられている。固定施錠子４５及び第１のカム５６ｂは、共通の取付部材である第１の支持板４４を介して、第１のかごドア１２ａに取り付けられている。
【００５２】
第１のカム５６ｂは、第１のかごドア１２ａの通常の開放動作時に第１の接触子５２に接触し、可動施錠子４７を非施錠位置に回転させる。
【００５３】
第１の上部リンク５６の回転軸５６ａと第１のカム５６ｂとの間には、ローラ状の第２の接触子５７が設けられている。第２の接触子５７は、第１の上部リンク５６に対して回転可能である。第１のカム５６ｂ及び第２の接触子５７は、第１の支持板４４を介して第１のかごドア１２ａに設けられている。
【００５４】
第１の上部リンク５６は、かご側連結部材５４の動きに連動して回転する。これにより、第１のカム５６ｂは、図７に示す解錠位置と、図９に示す非解錠位置との間で、変位可能になっている。即ち、第１のカム５６ｂは、解錠位置と非解錠位置との間を回転して変位可能である。
【００５５】
第２の接触子５７は、第１のカム５６ｂの回転中心である回転軸５６ａに対して、第１のかごドア１２ａの戸当たり側、かつ下側に配置されている。また、第２の接触子５７は、かご側連結部材５４の動きに連動して変位する。
【００５６】
第２のかごドア１２ｂのかごドアハンガ３７には、第２のカム５８が固定されている。即ち、実施の形態１では、第２のカム５８は、第１のかごドア１２ａの外部である第２のかごドア１２ｂに固定されている。
【００５７】
第１及び第２のかごドア１２ａ，１２ｂが全閉位置にあるとき、第２の接触子５７は、第２のカム５８の上面である水平な案内面に接している。
【００５８】
第１の上部リンク５６に外力を加えずに第１のかごドア１２ａを開方向へ移動させようとすると、図９に示すように、第２の接触子５７が第２のカム５８から離れ、第１のカム５６ｂが非解錠位置に変位する。
【００５９】
かご側連結部材５４は、重力又はばね力の作用により、戸袋側、即ち戸袋側位置に変位する方向への力を常時受けている。また、第１のカム５６ｂは、非解錠位置に変位する方向への力を常時受けている。即ち、かご側連結部材５４及び第１のカム５６ｂに外力が作用しないとき、自重、錘、又はばねによって、かご側連結部材５４が戸袋側位置に留まるとともに、第１のカム５６ｂが非解錠位置に留まるようになっている。
【００６０】
しかし、第１及び第２のかごドア１２ａ，１２ｂが全閉位置にあるときには、第２の接触子５７が第２のカム５８上に位置していることにより、第１のカム５６ｂの非解錠位置側への変位が阻止されている。これにより、かご側連結部材５４は、戸当たり側位置に保持されている。
【００６１】
図４の状態から、第１のかごドア１２ａが開方向へ移動すると、第１のカム５６ｂにより第１の接触子５２が押し上げられて、可動施錠子４７が非施錠位置に回転する。このため、第１のかごドア１２ａが開方向へさらに移動しても、施錠部４７ｂが固定施錠子４５に引っ掛からず、第１のかごドア１２ａの開方向への移動が阻止されることはない。
【００６２】
第１の支持板４４には、一対の連結部材ストッパ５９が設けられている。一対の連結部材ストッパ５９は、かご側連結部材５４の戸当たり側への可動範囲を制限する。
【００６３】
第１及び第２のかごドア１２ａ，１２ｂが全閉位置にあるとき、かご側連結部材５４と一対の連結部材ストッパ５９との間には、隙間が確保されている。このため、かご側連結部材５４を一対の連結部材ストッパ５９に強制的に接触させると、第２の接触子５７と第２のカム５８との間に僅かな隙間が発生する。
【００６４】
第１の支持板４４には、第２の平行リンク機構６０を介して、断面Ｌ字形のガイドブレード６１が取り付けられている。ガイドブレード６１は、かご側連結部材５４に平行、即ち鉛直に配置されている。
【００６５】
第２の平行リンク機構６０は、棒状の第２の下部リンク６２と、棒状の第２の上部リンク６３とを有している。
【００６６】
第２の下部リンク６２の下端部は、回転軸６２ａを中心として回転可能に第１の支持板４４に取り付けられている。第２の下部リンク６２の上端部は、ガイドブレード６１の下端部に回転可能に連結されている。
【００６７】
第２の上部リンク６３の下端部は、回転軸６３ａを中心として回転可能に第１の支持板４４に取り付けられている。第２の上部リンク６３の上端部は、ガイドブレード６１の中間部に回転可能に連結されている。
【００６８】
また、ガイドブレード６１は、第２の下部リンク６２及び第２の上部リンク６３の回転により、第１のかごドア１２ａに対して、第１のかごドア１２ａの開閉方向へ変位可能になっている。
【００６９】
ガイドブレード６１の上端部には、ガイドローラ６４が設けられている。かごドアフレーム３１には、ガイド部材６５が固定されている。ガイドローラ６４は、第１のかごドア１２ａが全閉位置にあるときに、ガイド部材６５に接触している。
【００７０】
ガイドブレード６１は、重力又はばね力の作用により、第１のかごドア１２ａの戸当たり側へ常時押されている。第１のかごドア１２ａが全閉位置にあるときには、ガイドローラ６４がガイド部材６５に当たっており、ガイドブレード６１は、インターロックローラ２９，３０から離れている。
【００７１】
これに対して、第１のかごドア１２ａが開方向へ移動すると、ガイドブレード６１がかご側連結部材５４側へ変位し、かご側連結部材５４とガイドブレード６１との間隔が小さくなる。そして、インターロックローラ２９，３０が、かご側連結部材５４とガイドブレード６１との間に把持される。
【００７２】
図５は、図４のＶ−Ｖ線に沿う断面図である。また、図６は図４のＶＩ−ＶＩ線に沿う断面図である。かご８が着床したとき、かご側連結部材５４は、インターロックローラ２９，３０よりも戸当たり側に配置されており、ガイドブレード６１は、インターロックローラ２９，３０よりも戸袋側に配置されている。
【００７３】
また、インターロックローラ２９，３０は、真上から見て、かご敷居線Ｌ１と乗場敷居線Ｌ２との間に配置されている。かご敷居線Ｌ１は、かご敷居の乗場側端面を真上から見た直線である。乗場敷居線Ｌ２は、乗場敷居のかご側端面を真上から見た直線である。
【００７４】
また、リンク５５，５６，６２，６３、かご側連結部材５４のリンク５５，５６との連結部、及びガイドブレード６１のリンク６２，６３との連結部は、真上から見て、かご敷居線Ｌ１よりもかご８側に配置されている。
【００７５】
このような構成により、かご８が適正な着床位置に位置するときに、第１のかごドア１２ａが開方向へ移動すると、インターロックローラ２９，３０がかご側連結部材５４に当たって、かご側連結部材５４の戸袋側位置への変位が阻止される。これにより、第１のカム５６ｂの非解錠位置への変位も阻止される。
【００７６】
また、かご８が適正な着床位置以外に位置するときに、第１のかごドア１２ａが開方向へ移動し、第２の接触子５７が第２のカム５８の端部に達すると、第２のカム５８から第２の接触子５７が離れ、第１のカム５６ｂが非解錠位置に変位する。また、かご側連結部材５４は、戸袋側位置に変位する。
【００７７】
この状態では、第１のカム５６ｂが第１の接触子５２に接触せず、可動施錠子４７が施錠位置に保持される。そして、第１のかごドア１２ａが開方向へ移動すると、施錠部４７ｂが固定施錠子４５に引っ掛かり、第１のかごドア１２ａの開方向へのさらなる移動が阻止される。
【００７８】
このように、第１及び第２のかごドア１２ａ，１２ｂが全閉位置にあるときには、第２の接触子５７が第２のカム５８に接触する。これにより、かご側連結部材５４が戸当たり側位置に保持され、第１のカム５６ｂが解錠位置に保持され、可動施錠子４７が施錠位置に保持される。
【００７９】
また、かご８がドアゾーン内にあるときに、第１のかごドア１２ａが開方向へ移動すると、インターロックローラ２９，３０にかご側連結部材５４が当たる。これにより、かご側連結部材５４の戸袋側位置への変位が阻止されるとともに、第１のカム５６ｂの非解錠位置への変位が阻止される。そして、第１の接触子５２に第１のカム５６ｂが接触することにより、可動施錠子４７が解錠位置に変位される。
【００８０】
また、かご８がドアゾーン外にあるときに、第１のかごドア１２ａが開方向へ移動すると、第２の接触子５７が第２のカム５８に沿って動き、かご側連結部材５４が戸袋側位置に変位される。これにより、第１のカム５６ｂが非解錠位置に変位され、可動施錠子４７が施錠位置に保持され、第１のかごドア１２ａの開方向へのさらなる移動が阻止される。
【００８１】
次に、動作について説明する。かごドア１２が全閉位置にあるときは、図４及び図６に示すように、第２の接触子５７が第２のカム５８に当たっている。また、可動施錠子４７が施錠位置に保持されている。また、かご側連結部材５４は、戸当たり側位置に位置している。また、かご側連結部材５４及びガイドブレード６１は、インターロックローラ２９，３０から離れている。
【００８２】
図７は図４の第１及び第２のかごドア１２ａ，１２ｂが開方向へ少し移動した状態を示す正面図である。第１のかごドア１２ａが開方向へ移動し始め、第２の接触子５７が第２のカム５８の端部まで移動すると、第１のリンク４８が図７の時計方向へ回転し、かご側連結部材５４が戸袋側へ変位しようとする。
【００８３】
しかし、かご側連結部材５４のローラ接触面がインターロックローラ２９，３０と接触し、かご側連結部材５４の戸袋側への変位が阻止される。これにより、第１のカム５６ｂが非解錠位置まで変位することがない。
【００８４】
このため、第１のかごドア１２ａが開方向へさらに移動すると、第１のカム５６ｂにより第１の接触子５２が押し上げられ、可動施錠子４７が非施錠位置に回転する。
【００８５】
また、かご側連結部材５４とガイドブレード６１との間にインターロックローラ２９，３０が挟まれ、インターロックラッチ２８が回転し、乗場ドア装置のインターロック装置２６も解錠状態になる。
【００８６】
図８は、図７の第１及び第２のかごドア１２ａ，１２ｂが開方向へさらに移動した状態を示す正面図である。第１のかごドア１２ａが開方向へさらに移動すると、ガイドブレード６１は、第１のかごドア１２ａに対して戸当たり側へ相対的に移動する。
【００８７】
これにより、ガイドブレード６１は、インターロックローラ２９，３０を介して、かご側連結部材５４を戸当たり側へ変位させる。この結果、かご側連結部材５４は、連結部材ストッパ５９に当たる。このとき、第１の上部リンク５６は、図８の反時計回りに回転し、第１のカム５６ｂは、解錠位置から非解錠位置とは反対側へ変位する。即ち、第１のカム５６ｂは、非解錠位置からさらに離れた位置に位置することになる。
【００８８】
また、インターロックローラ２９，３０がかご側連結部材５４とガイドブレード６１との間に把持されているため、第１のかごドア１２ａと第１の乗場ドア１４ａとが一体に開方向へ移動する。また、第２のかごドア１２ｂ及び第２の乗場ドア１４ｂも同期して開方向へ移動する。
【００８９】
次に、何等かの異常によりかご８がドアゾーン外に停止した状態で、かご室１１内の乗客が第１及び第２のかごドア１２ａ，１２ｂをこじ開けようとした場合について説明する。この場合、図９に示すように、かご側連結部材５４にインターロックローラ２９，３０が当たらないため、かご側連結部材５４の戸袋方向への変位は阻止されない。
【００９０】
このため、第２の接触子５７が第２のカム５８の端部まで移動すると、第１の上部リンク５６が図９の時計方向へ回転し、第１のカム５６ｂが非解錠位置まで変位する。従って、第１のカム５６ｂは第１の接触子５２に接触せず、可動施錠子４７は施錠位置に保持される。この結果、可動施錠子４７が固定施錠子４５に引っ掛かり、第１のかごドア１２ａの開方向へのさらなる移動が阻止される。
【００９１】
このようなエレベータのかごドア装置では、かご側連結部材５４の上下方向の範囲内にインターロックローラ２９，３０が無い場合に戸開防止機能が働くので、乗場側に解錠用カムを別途用意することが不要である。従って、簡単な構成により、階床間でのかごドア１２の開放を防止することができる。
【００９２】
また、第１及び第２のかごドア１２ａ，１２ｂが全閉位置にあるときに、可動施錠子４７を施錠位置に保持することができる。また、可動施錠子４７を施錠位置から非施錠位置に不要に移動させないため、故障及び誤動作を抑制し、信頼性を向上させることができる。
【００９３】
また、固定施錠子４５及び第１のカム５６ｂは、共通の取付部材である第１の支持板４４を介して、第１のかごドア１２ａに取り付けられている。このため、固定施錠子４５と第１のカム５６ｂとの位置関係を容易に調整できる。
【００９４】
また、第２の接触子５７は、第１のカム５６ｂの回転中心に対して、戸当たり側かつ下側に配置されている。このため、第１のかごドア１２ａが全閉位置から開方向へ移動し始めてから移動が阻止されるまでの第１のかごドア１２ａの移動量を小さくすることができる。
【００９５】
また、かご側連結部材５４は、戸袋側位置に変位する方向への力を常時受けており、第１のカム５６ｂは、非解錠位置に変位する方向への力を常時受けている。このため、信頼性をさらに向上させることができる。
【００９６】
また、可動施錠子４７は、施錠位置に変位する方向への力を常時受けている。このため、信頼性をさらに向上させることができる。
【００９７】
また、可動施錠子４７が施錠位置にあることが施錠検出スイッチ５０により検出されるので、誤動作をより確実に検出して、信頼性をさらに向上させることができる。
【００９８】
実施の形態２．
次に、図１０は、この発明の実施の形態２によるエレベータのかごドア装置を乗場側から見た正面図である。実施の形態２の固定施錠子４５は、第２のかごドア１２ｂのかごドアハンガ３７に固定されている。
【００９９】
可動施錠子７１は、第２の支持板４６を介して、かごドアフレーム３１に設けられている。即ち、可動施錠子７１は、第１及び第２のかごドア１２ａ，１２ｂの外部に設けられている。
【０１００】
可動施錠子７１は、回転軸７１ａを中心として回転可能である。また、可動施錠子７１は、図１０に示す施錠位置と、非施錠位置との間で、変位可能である。
【０１０１】
施錠位置は、可動施錠子７１が固定施錠子４５に引っ掛かり、第１のかごドア１２ａの開方向への移動を阻止する位置である。非施錠位置は、図１０の施錠位置から時計方向へ回転した位置であり、第１のかごドア１２ａの開方向への移動を許容する位置である。
【０１０２】
回転軸７１ａは、可動施錠子７１の中間部に設けられている。可動施錠子７１の第１のかごドア１２ａとは反対側の端部には、フック状の施錠部７１ｂが設けられている。第１及び第２のかごドア１２ａ，１２ｂが全閉位置にあるとき、施錠部７１ｂは、固定施錠子４５の先端部よりも、第２のかごドア１２ｂの戸袋側に位置している。
【０１０３】
可動施錠子７１が施錠位置に保持されたまま、第１のかごドア１２ａが開方向へ移動しようとすると、施錠部７１ｂが固定施錠子４５の先端部に引っ掛かる。これにより、第１のかごドア１２ａの開方向への移動が阻止される。
【０１０４】
可動施錠子７１の施錠部７１ｂとは反対側の端部には、錘７２が取り付けられている。可動施錠子７１は、自重と、引張ばね４８の力と、錘７２に作用する重力とにより、施錠子ストッパ４９に押し当てられ、施錠位置に保持されている。即ち、可動施錠子７１は、施錠位置に変位する方向への力を常時受けている。
【０１０５】
可動施錠子７１には、突出部７１ｃが形成されている。突出部７１ｃは、可動施錠子７１の中間部から斜め下方へ突出している。第１の接触子５２は、突出部７１ｃの下端部に設けられている。
【０１０６】
第２のカム５８は、第２のかごドア１２ｂのかごドアハンガ３７に固定されている。即ち、第２のカム５８は、第１のかごドア１２ａの外部に設けられている。
【０１０７】
実施の形態２では、第１のかごドア１２ａが全閉位置にあるとき、第２の接触子５７が第２のカム５８に接触する。これにより、かご側連結部材５４が戸当たり側位置に保持され、第１のカム５６ｂが解錠位置に保持され、可動施錠子７１が施錠位置に保持される。
【０１０８】
また、かご８がドアゾーン内にあるときに、第１のかごドア１２ａが開方向へ移動すると、インターロックローラ２９，３０にかご側連結部材５４が当たる。これにより、かご側連結部材５４の戸袋側位置への変位が阻止されるとともに、第１のカム５６ｂの非解錠位置への変位が阻止される。そして、第１の接触子５２に第１のカム５６ｂが接触することにより、可動施錠子７１が解錠位置に変位される。
【０１０９】
また、かご８がドアゾーン外にあるときに、第１のかごドア１２ａが開方向へ移動すると、第２の接触子５７が第２のカム５８に沿って動き、かご側連結部材５４が戸袋側位置に変位される。これにより、第１のカム５６ｂが非解錠位置に変位され、可動施錠子７１が施錠位置に保持されて、第１のかごドア１２ａの開方向へのさらなる移動が阻止される。
【０１１０】
他の構成及び動作は、実施の形態１と同様である。
【０１１１】
このような構成によっても、階床間での第１及び第２のかごドア１２ａ，１２ｂの開放を防止することができる。また、第１及び第２のかごドア１２ａ，１２ｂが全閉位置にあるときに、可動施錠子７１を施錠位置に保持することができる。
【０１１２】
また、かご側連結部材５４が第１のかごドア１２ａに設けられ、固定施錠子４５が第２のかごドア１２ｂに設けられるので、機器実装に有利である。
【０１１３】
なお、ガイドブレード６１を水平方向へ変位可能とする構成は必須ではなく、ガイドブレード６１を第１のかごドア１２ａに固定してもよい。
【０１１４】
また、インターロックローラ２９，３０がかご側連結部材５４とガイドブレード６１との間に把持される構成は、必須ではない。例えば、固定側インターロックローラ２９と可動側インターロックローラ３０との間に、かご側連結部材５４とガイドブレード６１とを配置する構成としてもよい。この場合、かご側連結部材５４がガイドブレード６１の戸袋側に配置される。
【０１１５】
また、第１の下部リンク５５及び第１の上部リンク５６の向きを、反対にしてもよい。同様に、可動施錠子４７が施錠位置から非施錠位置に回転する方向を反対にしてもよい。
【０１１６】
また、第２のカム５８は、かごドアフレーム３１に固定してもよい。
【０１１７】
また、第２の接触子５７は、かご側連結部材に設けてもよい。
【０１１８】
また、図９では、第２の接触子５７が第２のカム５８から離れている。しかし、ドアゾーン外でかごドアの開方向へのさらなる移動を阻止したとき、第１のカムを非解錠位置に変位させられれば、第２の接触子は第２のカムに接触子していてもよい。
【０１１９】
また、上記の例では中央開き式のかごドア装置を示したが、この発明は、片開き式のかごドア装置に適用してもよい。この場合、第２のカム５８は、かごドアフレーム３１に対して固定することになる。
【０１２０】
また、この発明が適用されるエレベータのタイプは、図１のタイプに限定されるものではなく、例えば２：１ローピング方式のエレベータであってもよい。
【０１２１】
また、この発明は、機械室レスエレベータ、ダブルデッキエレベータ、ワンシャフトマルチカー方式のエレベータなど、種々のタイプのエレベータに適用できる。ワンシャフトマルチカー方式は、上かごと、上かごの真下に配置された下かごとが、それぞれ独立して共通の昇降路を昇降する方式である。
【符号の説明】
【０１２２】
８  かご、１２ａ  第１のかごドア、１２ｂ  第２のかごドア、１４ａ  第１の乗場ドア、１４ｂ  第２の乗場ドア、２６  インターロック装置、２９  固定側インターロックローラ、３０  可動側インターロックローラ、４４  第１の支持板（取付部材）、４５  固定施錠子、４７，７１  可動施錠子、５０  施錠検出スイッチ、５２  第１の接触子、５４  かご側連結部材、５６ａ  回転軸（第１のカムの回転中心）、５６ｂ  第１のカム、５７  第２の接触子、５８  第２のカム。
【要約】
エレベータのかごドア装置において、かごドアが全閉位置にあるとき、第２の接触子が第２のカムに接触する。これにより、かご側連結部材が戸当たり側位置に保持され、第１のカムが解錠位置に保持され、可動施錠子が施錠位置に保持される。また、かごがドアゾーン外にあるときに、かごドアが開方向へ移動すると、第２の接触子が第２のカムに沿って動き、かご側連結部材が戸袋側位置に変位される。これにより、第１のカムが非解錠位置に変位され、可動施錠子が施錠位置に保持されて、かごドアの開方向へのさらなる移動が阻止される。【図１】
0006758539.tif 000002
【図２】
0006758539.tif 000003
【図３】
0006758539.tif 000004
【図４】
0006758539.tif 000005
【図５】
0006758539.tif 000006
【図６】
0006758539.tif 000007
【図７】
0006758539.tif 000008
【図８】
0006758539.tif 000009
【図９】
0006758539.tif 000010
【図１０】
0006758539.tif 000011